(57)【要約】【課題】意匠性を損ねることなくパネル部材への接触を抑制する。【解決手段】実施形態のパネル部材１は、表面１ａ側および裏面１ｂ側の双方の端部に面取りが施され、面取り部分の見かけ上の幅（Ｗ３、Ｗ４）が板厚（ｔ）よりも短いとともに、表面１ａ側の面取り部分の見かけ上の幅（Ｗ３）を、裏面１ｂ側の面取り部分の見かけ上の幅（Ｗ４）よりも大きくした。【選択図】図３
2018044754.tif 000002
【特許請求の範囲】
【請求項１】
表面側および裏面側の双方の端部に面取りが施され、面取り部分の見かけ上の幅が板厚よりも短いとともに、表面側の面取り部分の見かけ上の幅が裏面側の面取り部分の見かけ上の幅よりも大きいパネル部材。
【請求項２】
表面側の端部に、直線状の傾斜面を形成する幅広面取り加工を施した請求項１記載のパネル部材。
【請求項３】
表面側の傾斜面と当該パネル部材の側面との稜線は、当該パネル部材を支持するフレームの先端よりも前方に位置している請求項２記載のパネル部材。
【請求項４】
表面側の傾斜面と表面とのなす角を５度から５０の範囲とした請求項２または３記載のパネル部材。
【請求項５】
当該パネル部材の側面において表面側の傾斜面から裏面側の傾斜面までの間に平面部を設けた請求項１から４のいずれか一項記載のパネル部材。
【請求項６】
裏面側の端部に、直線状の傾斜面を形成するＣ面の面取りを施した請求項１から５のいずれか一項記載のパネル部材。
【請求項７】
当該パネル部材の側面にラウンド処理を施した請求項１から６記載のパネル部材。
【請求項８】
当該パネル部材を表面側から見た正面視における表面側の面取り部分の見かけ上の幅を、正面視におけるフレームの見かけ上の幅よりも長くした請求項１から７のいずれか一項記載のパネル部材。
【請求項９】
当該パネル部材を表面側から見た正面視における表面側の面取り部分の見かけ上の幅を、正面視におけるフレームの見かけ上の幅の２倍よりも短くした請求項１から８のいずれか一項記載のパネル部材。
【請求項１０】
表面側の面取り部分に、表面と共通する質感を与える表面処理を施した請求項１から９のいずれか一項記載のパネル部材。
【請求項１１】
４辺を有する四角形状に形成され、４辺のそれぞれに面取りを施した請求項１から１０のいずれか一項記載のパネル部材。
【請求項１２】
４辺のそれぞれに共通の面取りを施した請求項１１記載のパネル部材。
【請求項１３】
少なくとも１つの辺に幅広面取り加工を施した請求項１１または１２記載のパネル部材。
【請求項１４】
コーナー部に直線状の面取りを施した請求項１２または１３記載のパネル部材。
【請求項１５】
コーナー部に曲線状の面取りを施した請求項１２から１４のいずれか一項記載のパネル部材。
【請求項１６】
強化ガラスにより形成されている請求項１から１５のいずれか一項記載のパネル部材。
【請求項１７】
鏡面加工が施されている請求項１から１６のいずれか一項に記載のパネル部材。
【請求項１８】
冷蔵庫の扉の前板として用いる請求項１から１７のいずれか一項記載のパネル部材。
【請求項１９】
扉が対向する側に、同一の面取を施した請求項１８記載のパネル部材。
【請求項２０】
縦方向または横方向において同一直線上に配置される端部に共通の面取りを施した請求項１８または１９記載のパネル部材。
【請求項２１】
請求項１から２０のいずれか一項に記載のパネル部材を扉に備えた冷蔵庫。
【発明の詳細な説明】
【技術分野】
【０００１】
本発明の実施形態は、化粧板等に用いるパネル部材に関する。
【背景技術】
【０００２】
従来、意匠性を高めるために筐体の表面に化粧板を設けることがあり、例えば冷蔵庫であれば、貯蔵室を開閉する扉の前面にガラス板等のパネル部材を設けることがある（例えば、特許文献１参照）。
【先行技術文献】
【特許文献】
【０００３】
【特許文献１】特開２０１６−５０７６０号公報
【発明の概要】
【発明が解決しようとする課題】
【０００４】
ところで、パネル部材を設ける場合には、パネル部材を支持するフレームとの隙間をできるだけ小さくしたり、フレームをできるだけ目立たないようにしたりするフレームレス化が主流となってきている。その結果、パネル材の表面がフレームよりも前方に突出した状態になることがある。
【０００５】
しかしながら、パネル部材がフレームよりも前方に突出した状態になると、接触の可能性も高くなる。その一方で、パネル部材が接触しないようにフレームを大きくすると、フレームが目立ってしまい、意匠性を損ねてしまう。
そこで、意匠性を損ねることなくパネル部材への接触を抑制することができるパネル部材を提供する。
【課題を解決するための手段】
【０００６】
実施形態のパネル部材は、表面側および裏面側の双方の端部に面取りが施され、面取り部分の見かけ上の幅が板厚よりも短いとともに、表面側の面取り部分の見かけ上の幅が裏面側の面取り部分の見かけ上の幅よりも大きい。
【図面の簡単な説明】
【０００７】
【図１】実施形態のパネル部材を模式的に示す図
【図２】冷蔵庫を模式的に示す図
【図３】パネル部材の断面形状を模式的に示す図
【図４】パネル部材の形状とフレームの形状との関係を模式的に示す図その１
【図５】パネル部材の形状とフレームの形状との関係を模式的に示す図その２
【図６】コーナー部に施された面取りの形状を模式的に示す図その１
【図７】コーナー部に施された面取りの形状を模式的に示す図その２
【図８】パネル部材の内部での光の反射例を模式的に示す図
【図９】その他の実施形態のパネル部材を模式的に示す図その１
【図１０】その他の実施形態のパネル部材を模式的に示す図その２
【図１１】図１０の領域ＸＩを拡大して示す図
【発明を実施するための形態】
【０００８】
以下、実施形態について、図１から図８を参照しながら説明する。
図１に示すように、本実施形態のパネル部材１は、風冷強化法で製造された強化ガラス製の板材により概ね四角形状に形成されている。本実施形態では、日本協業規格のＪＩＳ  Ｒ  ３２０６を満足するものを強化ガラスと称している。このパネル部材１は、詳細は後述するが、ユーザから視認される側となる表面１ａ（図３参照）側および表面１ａとは反対側の裏面１ｂ（図３参照）側の双方において、端部つまりは四角形状の４辺のそれぞれに面取りが施されている。
【０００９】
この表面１ａの面取りは、意匠性を高めるために正面視における幅（Ｗ３。図３参照）を視認し易いように広めに取った幅広面取り加工となっている。以下、幅広面取り加工を施した部分を、便宜的に幅広面取り部分とも称する。また、パネル部材１は、コーナー部１ｃ（図６参照）つまりは四角形状の４隅にも面取りが施されている。
【００１０】
本実施形態の場合、このパネル部材１は、図２に示す冷蔵庫２の扉の前板つまりは化粧板として用いることを想定している。この冷蔵庫２は、断熱性を有するキャビネットにより構成されており、その内部に上から順に冷蔵室３、野菜室４が設けられており、野菜室４の下に製氷室５と上部冷凍室６が左右に並んで設けられ、最下部に下部冷凍室７が設けられている。このうち、冷蔵室３と野菜室４は冷蔵温度帯の貯蔵室であり、製氷室５、上部冷凍室６および下部冷凍室７は冷凍温度帯の貯蔵室である。
【００１１】
これら冷蔵室３、野菜室４、製氷室５、上部冷凍室６および下部冷凍室７は、周知のように前面開口を有し、その前面開口が扉によって開閉される貯蔵室である。冷蔵室３は、左右に並んで設けられ、左端側を軸に回動し、ユーザがタッチ操作する操作パネル８が設けられている左扉３ａと、右端側を軸に回動する右扉３ｂとによって前面開口が開閉される。また、野菜室４、製氷室５、上部冷凍室６および下部冷凍室７は、引き出し式の野菜室扉４ａ、製氷室扉５ａ、上部冷凍室扉６ａおよび下部冷凍室扉７ａによってそれぞれの前面開口が開閉される。
【００１２】
このとき、左扉３ａ、野菜室扉４ａ、製氷室扉５ａおよび下部冷凍室扉７ａは、それぞれの左端が同一直線上に並んでいる。また、右扉３ｂ、野菜室扉４ａ、上部冷凍室扉６ａおよび下部冷凍室扉７ａは、それぞれの右端が同一直線上に並んでいる。また、左扉３ａと製氷室扉５ａは、同じ幅に設定されている。また、右扉３ｂと上部冷凍室扉６ａは、同じ幅に設定されている。このため、左扉３ａと右扉３ｂとの間の隙間は、製氷室扉５ａと上部冷凍室扉６ａとの間の隙間と同一直線上に位置している。
【００１３】
そして、本実施形態では、各扉の前面に、支持部となるフレーム９（図３参照）に支持された状態でパネル部材１が設けられている。つまり、冷蔵庫２の場合、前面に位置する全ての扉にパネル部材１が設けられている。このとき、パネル部材１は、例えば接着テープ２０（図１０参照）等の接着部材によって扉の前面側に接着されている。
【００１４】
次に、パネル部材１の詳細について説明する。
図３は、図１に示す左扉３ａのＩＩＩ−ＩＩＩ線における断面を模式的に示している。なお、引き出し線や寸法線を記載するために、図３では断面を示すハッチングは省略している。この図３に示すように、パネル部材１は、端部に面取りが施されている。本実施形態の場合、表面１ａ側には、幅広面取り加工が施されており、傾斜面（以下、便宜的に表傾斜面１０と称する）が形成されている。本実施形態では、表傾斜面１０は、断面視において直線状に形成されている。なお、図３では、説明の簡略化のために、接着テープ２０の図示は省略している。
【００１５】
表傾斜面１０と表面１ａとのなす角は、４５度よりも小さくなるように幅広面取り加工が施されている。より具体的には、表傾斜面１０と表面１ａとのなす角は、５度から５０度の範囲に設定されており、本実施形態では、約２０度で形成されている。この５度から５０度の範囲は、幅広面取り部分を正面から見たときの表傾斜面１０の見え方を考慮して、つまりは、後述するようにガラス面材１の意匠性を考慮して設定されている。そして、後述するように裏面１ｂの端部には４５度の面取りが施されている。つまり、本実施形態では、パネル部材１の表面１ａ側には、裏面１ｂ側とは異なる角度であって、裏面１ｂ側よりも小さい角度となる幅広面取り加工が施されている。
【００１６】
また、パネル部材１は、表傾斜面１０と側面との交点となる前稜線１２が、フレーム９の先端よりも前方に位置した状態で、且つ、後述するように、フレーム９の先端が後稜線１３よりも前方に位置した状態でフレーム９に支持されている。つまり、フレーム９の先端は、本実施形態ではパネル部材１の側面に設けられている平面部１４の範囲内に位置している。
【００１７】
パネル部材１の裏面１ｂ側には、裏面１ｂとのなす角が４５度となるＣ面の面取りが施されている。このパネル部材１の裏面１ｂ側は、図示は省略するが、着色層、保護層および操作パネル８の光源からの光を透過させる透過層等が設けられている。これにより、表面１ａ側から入射した光が着色層等で反射することになり、パネル部材１が鏡面として機能する。つまり、本実施形態のパネル部材１は、鏡面加工が施されている。これにより、扉の意匠性を高めることができる。
【００１８】
また、表傾斜面１０および裏面１ｂ側の傾斜面（以下、便宜的に裏傾斜面１１と称する）は、それぞれの傾斜方向の幅寸法である直線部分の幅（Ｗ１、Ｗ２）が、パネル部材１の板厚（ｔ）よりも短くなっている。このとき、表傾斜面１０と裏傾斜面１１側とでは、その幅（Ｗ１、Ｗ２）が異なるとともに、表傾斜面１０の幅（Ｗ１）の方が裏傾斜面１１の幅（Ｗ２）よりも長くなっている。
【００１９】
このため、パネル部材１は、表面１ａ側から見た正面視において、表側の面取り部分つまりは本実施形態でいえば表傾斜面１０の見かけ上の幅（Ｗ３）が、裏側の面取り部分つまりは裏傾斜面１１の見かけ上の幅（Ｗ４）に比べ長くなっている。
【００２０】
本実施形態の場合、表面１ａ側の面取り部分とは、パネル部材１の端部において、平らな表面１ａと裏面１ｂ側に傾斜している部位との交点（後述する表稜線１２ａ）から、側面の端部までの範囲を示している。換言すると、表面１ａ側の面取り部分とは、パネル部材１の側面の端部から表面１ａの中央への向きにおいて板厚が変化している範囲を示している。
【００２１】
同様に、裏面１ｂ側の面取り部分とは、パネル部材１の端部において、平らな裏面１ｂと表面側に傾斜している部位との交点（後述する裏稜線１３ａ）から、側面の端部までの範囲を示している。換言すると、裏面１ｂ側の面取り部分とは、パネル部材１の側面の端部から裏面１ｂの中央への向きにおいて板厚が変化している範囲を示している。
【００２２】
また、表面１ａ側における見かけ上の幅（Ｗ３）とは、表傾斜面１０を表面１ａと平行な平面に投影した際の投影距離、つまりは、表傾斜面１０と表面１ａとの交点である表稜線１２ａから側面の端部まで表面１ａに平行な仮想直線を伸ばした際の仮想直線の長さであり、パネル部材１を正面からみた場合において、表面１ａから奥に傾斜して見える部分の幅である。
【００２３】
同様に、裏面１ｂ側における見かけ上の幅（Ｗ４）とは、裏傾斜面１０を裏面１ｂと平行な平面に投影した際の投影距離、つまりは、後述する裏稜線１２ａから側面の端部まで裏面１ｂに平行に仮想直線を伸ばした際の仮想直線の長さであり、パネル部材１を正面からみた場合において、裏面１ｂから手前側に傾斜して見える部分の幅である。
【００２４】
また幅広面取り加工とは、表傾斜面１０の幅（Ｗ１）を、表傾斜面１０の奥行き（Ｗ６）よりも大きくすることにより、正面視における表傾斜面１０の視認性を高める加工である。本実施形態では、表面１ａ側の面取り部分の見かけ上の幅（Ｗ３）が裏面１ｂ側における見かけ上の幅（Ｗ４）に比べて大きいことに加えて、表面１ａ側の面取り部分の傾斜方向の幅寸法である直線部分の幅Ｗ２が、裏面１ｂ側の面取り部分の直線部分の幅Ｗ１よりも大きくしている。
【００２５】
また、表傾斜面１０と側面とが交わる稜線（以下、便宜的に前稜線１２と称する）から裏傾斜面１１と側面とが交わる稜線（以下、便宜的に後稜線１３と称する）までの間には、断面視において傾斜していない直線状となる平面部１４が設けられている。換言すると、パネル部材１は、側面の一部が残存した状態で、表面１ａと裏面１ｂとに面取りが施されている。
【００２６】
このとき、裏傾斜面１１の幅（Ｗ２）は、平面部１４の幅（Ｗ５）つまりは前稜線１２と後稜線１３との間の距離よりも短く形成されている。また、前稜線１２から表面１ａまでの前後方向での垂直距離（Ｗ６）および後稜線１３から裏面１ｂまでの前後方向での垂直距離（Ｗ７）は、平面部１４の幅（Ｗ５）よりも短く形成されている。そして、本実施形態では、垂直距離（Ｗ６）と垂直距離（Ｗ７）の合計を、平面部１４の幅（Ｗ５）よりも短くしている。
【００２７】
つまり、パネル部材１は、Ｗ５＋Ｗ６＋Ｗ７＝ｔの関係、およびＷ６＋Ｗ７≦Ｗ５の関係を満たしている。これにより、平面部１４は、概ねパネル部材１の板厚の１／２以上の長さとなる。換言すると、パネル部材１の側面は、板厚の半分以上が残されている。したがって、強度が高くなり、パネル部材１に衝撃が加わって側面に大きな力が集中した場合であってもパネル部材１が破損する可能性を低減することができる。つまり、平面部１４は、側面強度確保部分として設けられている。この場合、Ｗ５：Ｗ６：Ｗ７＝２：１：１の関係とすることにより、パネル部材１の厚み方向の中心に平面部１４を設けることができ、表面１ａ側と裏面１ｂ側との強度のバランスを取ることができる。
【００２８】
また、本実施形態では、扉に対する外部からの衝突も考慮している。具体的には、パネル部材１は、図４に示すように、左扉３ａの場合には、表傾斜面１０を延長した平面（Ｓ２）よりも前方側にフレーム９の一部が位置するように面取りが施されている。換言すると、表傾斜面１０に対して平行な平面（Ｓ１）が接近してきた場合、その平面（Ｓ１）は、パネル部材１よりも先にフレーム９の一部に接触する。これにより、左扉３ａを回動させた際に直線状の壁に接触するような状況であっても、パネル部材１よりも先にフレーム９が壁に接触することになる。したがって、パネル部材１の破損を抑制することができる。
【００２９】
一方、例えば右扉３ｂを開放してトレー等を収納する際にトレーが右扉３ｂの左端側に接触するような場合でも、フレーム９に先に接触することになり、パネル部材１に衝突する可能性を低減できるとともに、仮に接触した場合であっても衝撃を和らげることができる。
【００３０】
また、パネル部材１は、正面視における表傾斜面１０の見かけ上の幅（Ｗ３）、つまりは、端部において平坦な表面１ａから板厚が変化している範囲の幅が、正面視におけるフレーム９の見かけ上の幅（Ｗ８）よりも長く形成されている。ここで、フレーム９は、前端面に平面を有し、後方に向かって幅広に傾斜して構成されており、フレーム９の見かけ上の幅（Ｗ８）は、その平面の幅を示している。なお、平面を有していない場合には、パネル部材１の側面の平面部１４が当接する部位または平面部１４に対向する部位における、フレーム９の断面視における最長距離または最短距離を見かけ上の幅としてもよい。
【００３１】
これにより、表傾斜面１０つまりは幅広面取り部分がユーザに認識され易くなり、高級感を醸し出すことが可能となるとともに、フレーム９の存在感が相対的に小さくなり、一見すると完全なフレームレスに見える等、意匠性を高めることが可能となる。また、本実施形態では、裏傾斜面１１の見かけ上の幅（Ｗ４）は、フレーム９の先端の見かけ上の幅（Ｗ８）よりも小さくなっている。つまり、各幅は、Ｗ３＞Ｗ８＞Ｗ４の関係となっている。
【００３２】
その一方で、本実施形態のようにパネル部材１を冷蔵庫２の扉に設ける場合には、扉が縦横に並んで設けられているため、表傾斜面１０の見かけ上の幅があまり大きくなると、幅広面取り部分が目立ちすぎ、板チョコつまりは板状であって表面１ａに概ね台形状に盛り上がっているチョコレートを連想させてしまい、高級感が損なわれる可能性がある。そのため、正面視における表傾斜面１０の見かけ上の幅（Ｗ３）は、正面視におけるフレーム９の見かけ上の幅（Ｗ８）の２倍よりもよりも短く形成されている。これにより、幅広面取り部分が悪目立ちすることがなくなり、高級感が損なわれることが抑制される。
【００３３】
また、正面視における表傾斜面１０の見かけ上の幅は、左扉３ａの左方側だけではなく、上方側、右方側および下方側の全ての辺において共通の態様となるように形成されている。すなわち、４辺を有する四角形状に形成されているパネル部材１は、４辺の端部に面取りが施されているとともに、４辺の端部に共通の面取りが施されている。
【００３４】
さらに、例えば野菜室扉４ａのような引き出し式の扉に設けられているパネル部材１についても同様である。具体的には、図５に示すように、野菜室扉４ａに設けられているパネル部材１は、表傾斜面１０の見かけ上の幅（Ｗ３）が、野菜室扉４ａのフレーム９の側方側および上方側の先端の見かけ上の幅（Ｗ８）よりも大きく、且つ、その２倍よりも短く形成されている。このとき、パネル部材１の後方であってフレーム９前面の後方側には、扉を引き出す際にユーザが手を掛ける手掛け部４ｂが形成されている。
【００３５】
この場合、手掛け部４ｂの深さに対して、表傾斜面１０の見かけ上の幅（Ｗ３）を小さくするとよい。これにより、手掛け部４ｂに手を掛けたときに力が加わったとしても、パネル部材１が破損するおそれを低減できる。好ましくは、手掛け部４ｂの深さの１／４程度にするとよい。
【００３６】
また、パネル部材１は、図６に示すように、正面視において長方形に形成されているパネル面材１の４隅となるコーナー部１ｃには、直線状のＣ面の面取りが施されている。これは、組立時における破損を防止することも目的の１つであるが、意匠性の低下を抑制することにも役立っている。このとき、表稜線１２ａの交点からコーナー部１ｃの直線部分までの距離（ＷＣ１)は、直線部分から側面を仮想的に伸ばした際の交点までの距離（ＷＣ２）と同じ、または距離（ＷＣ２）よりも長くなっている。また、コーナー部１の幅つまりは隣り合う２辺までの直線部分の幅（ＷＣ）は、表傾斜面１０の幅（Ｗ３）と同じ、または表傾斜面１０の幅（Ｗ３）よりも小さくなっている。
【００３７】
これにより、コーナー部１ｃには面取りによる意匠性の高い領域が形成される。また、表傾斜面１０のずれ、つまりは、図６で言えば横方向と縦方向の表傾斜面１０の幅（Ｗ３）の加工上の誤差が目立たなくなるため、製造時の若干のばらつきを吸収することができ、製造性を向上させることもできる。このとき、各幅の関係がＷＣ≦Ｗ３となるようにしているので、コーナー部１ｃの面取りが表稜線１２ａの交点に達することはなく、表傾斜面１０が図６で言えば縦横に分断されることがなくなり、意匠性が低下することを防止できる。
【００３８】
また、直線部分の幅（ＷＣ）を二等分した中点位置から（１／６）・ＷＣの幅寸法内に、図示縦方向の表傾斜面１０と図示横方向の表傾斜面１０との境界線が位置するように構成することが望ましい。これにより、縦方向と横方向の表傾斜面１０同士がバランス良く繋がれた状態となる。
【００３９】
パネル部材１に面取りを施す場合、各端部に対してそれぞれ個別に面取りが施されるため、精度よく作業を行ったとしても、若干のずれが生じる可能性がある。その場合、コーナー部１ｃに面取りを施さないと、隣り合う斜面部の幅の違いが目立ってしまう。これに対して、面取りを施すことにより、隣り合う斜面部の幅が若干違っていても、その違いが目立たなくなり、意匠性が低下することが抑制される。
【００４０】
また、図７に示すように、コーナー部１ｃに曲面状の面取りを施せば、より一層目立たなくすることができる。図７の場合、コーナー部１ｃには、表稜線１２ａの交点を中心として円弧状の面取りが施されている。このとき、円弧状の曲面の半径（ＷＲ）は、表傾斜面１０の幅（Ｗ３）よりも小さくなっている。また、円弧状の曲面の半径（ＷＲ）は、曲面から側面を仮想的に伸ばした際の交点までの距離（ＷＲ０）よりも長くなっている。
【００４１】
これにより、コーナー部１ｃには面取りによる意匠性の高い領域が形成されるとともに、曲面状つまりはＲ状の面取りによって、表傾斜面１０のずれ、つまりは、図７で言えば横方向と縦方向の表傾斜面１０の幅（Ｗ３）の加工上の誤差が目立たなくなるため、製造時の若干のばらつきを吸収することができ、製造性を向上させることもできる。また、各幅の関係がＷＲ＞Ｗ３となるようにしているので、コーナー部１ｃの面取りが表稜線１２ａの交点に達することはなく、表傾斜面１０が図７で言えば縦横に分断されることがなくなり、意匠性が低下することを防止できる。
【００４２】
また、パネル部材１は、表傾斜面１０に、表面１ａと共通する質感を与える表面処理が施されている。パネル部材１は、上記したように強化ガラス製の板材である。このような板材は、一般的にフロート法で製造されていることから、その表面１ａが非常に平滑できれいなものとなっている。その一方で、表傾斜面１０は、面取り加工が施された時点では、表面１ａよりも滑らかさが低くなっている。
【００４３】
また、縦横に隣接する表傾斜面１０の境界線（ＸＬ１）と、当該境界線（ＸＬ１）の中央から垂直方向に延びる仮想線（ＸＬ２）がパネル部材１の縦横の外縁に交差する仮想交点Ｘａ、Ｘｂとの間の距離（ＸＬａ、ＸＬｂ）が、概ね同じになるようにＲ状の面取りを施すとよい。ここで、概ね同じとは、ＸＬａおよびＸＬｂの差が２割程度に収まる範囲を想定している。これにより、Ｒ状の面取りは、境界線（ＸＬ１）に対して概ね線対称となり、意匠性が向上する。
【００４４】
そして、表傾斜面１０は、表面１ａと同様にユーザから直接視認されるため、その表傾斜面１０と表面１ａとの質感が大きく異なると、意匠性が低下するおそれがある。そのため、本実施形態では、表傾斜面１０に、表面１ａと同程度の滑らかさとするための磨き処理を表面処理として施している。これにより、表傾斜面１０は、表面１ａとほぼ同様の質感となり、意匠性が低下するおそれを低減できる。
【００４５】
この場合、裏傾斜面１１については、必ずしも表面処理を施す必要はなく、その場合には、各面の滑らかさは表面１ａ≧表傾斜面１０＞裏傾斜面１１となる。なお、表面処理としては、磨き処理だけで無く、表面の凹凸を無くすコンパウンド処理や、透明塗料により凹凸を埋めるコーティング処理等を採用することもできる。
【００４６】
なお、パネル部材１の裏傾斜面１１にも、表傾斜面１０と同等の磨き処理を施してもよい。パネル部材１はガラス製で透明であるため、詳細に観察すれば裏傾斜面１１を見ることも不可能ではない。そのため、裏傾斜面１１に対しても表面１ａと同様の磨き処理を施すことにより、見えないところまで手を抜かずに製造されていることを示すことができ、ユーザからの信頼を得ることができる。
【００４７】
図８は、左扉３ａの下端部、具体的には、図１に示すＶＩＩ−ＶＩＩ線での断面を模式的に示している。なお、光が通過する経路を示すために、図８ではハッチングを省略している。
一般的に、冷蔵庫２は室内に設置され、その室内には、冷蔵庫２の天井よりも高い位置に照明装置が設けられていると考えられる。
【００４８】
さて、照明装置からの光が矢印Ｙ１にて示すようにパネル部材１の内部に入射し、パネル部材１の内部で反射した後、矢印Ｙ２にて示す方向に放出されたとする。このとき、パネル部材１は強化ガラス製であるので、内部応力によって表層側に薄い層が形成されている。そのため、パネル部材１は、表層部と内部とでは屈折状態や偏光状態が異なっている。また、図８に示すように３回の内部反射が生じる場合、各反射時にそれぞれ屈折状態や偏光状態が異なる部位を複数回通過する。
【００４９】
このため、矢印Ｙ２がユーザの目線であった場合には、左扉３ａの横幅方向において、ユーザの目に異なる波長の光が到達することになる。その結果、ユーザの目には、パネル部材１の端部が、横方向に虹色に煌めいて見えることになる。特に、ヒンジ部分を中心に回動して動く扉に虹色の煌めきを生じ得るパネル部材１を配置しているため、開扉や閉扉の動作によって光源からの距離および光源との角度が変更され、ユーザが虹色の煌めきを確認し易い。
【００５０】
ただし、この虹色の煌めきは、光源との所定の関係が満たされた場合のみ生じるため、常時見えるわけではない。なお、この虹色の煌めきは、パネル部材１が、通常の使用では気にならないものの比較的歪みが生じやすい約７００℃の高温までガラスを加熱する風冷強化法で製造されていることも一因であると予想され、風冷強化法で製造する場合のガラスの加熱温度をより低く設定することで虹色の煌めきを弱める代わりに、歪みの発生を防止することも可能である。
【００５１】
強化ガラスの内部には、熱強化されることにより表面の圧縮応力が取り込まれるため、応力に応じて異なる光の屈折率を持つ複屈折性を有する。このとき、厚さ方向に向かうにしたがい、ほぼ比例して屈折率が変化することから、入射した光が特に分散するようになる。そして、板厚の１／６程度の圧縮応力が両面の層に挟まれる状態で内部には引張応力の層が作り出され、また、屈折率の変化が起きることから、光がまた散乱する状態にある。
【００５２】
このような状態の強化ガラスに対してパネル部材１の端部をカットすることで、そのカット面には応力変化が異なる状態が生み出され、カット面の形状と、異なる内部応力の効果つまりは影響とが相まって、光が散乱して虹色に見えると考えられる。
【００５３】
すなわち、冷蔵庫２の上部から光がパネル部材１に入射する状態において、扉が閉鎖状態から９０度開放されるまでの動きの中で、面取り加工を施した端部を視認する場合に、ガラスの色または塗料の色とは異なる色が表示されるように、本実施形態であれば虹色の光が生成されるように、ＪＩＳ  Ｒ  ３２０６を満足する強化ガラス製のパネル部材１の端部を、面取り部分の見かけ上の幅が板厚よりも短いとともに、表面側の面取り部分の見かけ上の幅が裏面側の面取り部分の見かけ上の幅よりも大きくなるように表面側および裏面側の双方の端部に面取りを施すことを特徴とする。この場合、ヒンジと反対側となる端部に面取りを施すことが好ましい。これにより、扉が回動する過程で面取り部分が前後方向および左右方向に動くため、光の入射角が複雑に変化し、様々な色のパターンを表示させることができる。
【００５４】
このとき、パネル部材１がガラス製であることから、そのパネル部材１が虹色に煌めくと、ダイアモンドの輝きが連想され、高級感を醸し出すことができる。また、瞬間的且つ偶発的に虹色の煌めきが見えることから、ＬＥＤ等を用いたあからさまなイルミネーションとは異なり、あくまでも自然な感じで高級感を演出することができる。なお、実験の結果、表傾斜面１０の見かけ上の幅（Ｗ３）が板厚に対して大きすぎるような形状、つまりは、幅広面取り部分がかなり目立つような構造の場合には、虹色の煌めきが生じなかった。
【００５５】
以上説明した実施形態によれば、次のような効果を得ることができる。
パネル部材１は、表面１ａ側および裏面１ｂ側の双方の端部に面取りが施され、面取り部分の見かけ上の幅（Ｗ３、Ｗ４）が板厚（ｔ）よりも短いとともに、表面１ａ側の面取り部分の見かけ上の幅（Ｗ３）が裏面１ｂ側の面取り部分の見かけ上の幅（Ｗ４）よりも大きくなっている。
【００５６】
パネル部材１の端部を面取りしたことにより、製造時や製品運搬時にパネル部材１が破損するおそれを低減することができる。また、表面１ａ側の幅（Ｗ３）を裏面１ｂ側の幅（Ｗ４）よりも大きくしたことにより、外部の部材やユーザと接触した際の衝撃を和らげることができる。そして、傾斜面の幅（Ｗ３、Ｗ４）を板厚（ｔ）よりも短くしたことにより、面取り部が目立ちすぎることを防止できる。したがって、意匠性を損ねることなくパネル部材１への接触、さらには接触によって生じ得る不具合を抑制することができる。
【００５７】
パネル部材１は、表面１ａ側の端部に、直線状の傾斜面を形成する幅広面取り加工を施した。これにより、パネル部材１の端部に表傾斜面１０つまりは幅広な面取り部が形成され、意匠性を高めることができる。
また、開扉や閉扉の動作を行う際にユーザの目に触れやすいヒンジとは反対側の端部に上下方向にわたって虹色の煌めきを生じ得る幅広面取り部分を形成することで意匠性を高めることができる。
【００５８】
パネル部材１は、側面と表傾斜面１０と交点となる表稜線１２ａが、フレーム９の先端よりも前方に位置している。換言すると、フレーム９は、パネル部材１の表面１ａよりも後方に位置している。これにより、フレーム９が目立たなくなり、意匠性を高めることができる。
パネル部材１は、その側面において表傾斜面１０から裏傾斜面１１までの間に平面部１４が設けられている。パネル部材１に衝撃が加わった場合、力は側面に集中する傾向になる。そのため、側面に平面部１４を設けることにより強度を高めることができる。
【００５９】
パネル部材１は、表傾斜面１０と表面１ａとのなす角を４５度よりも小さくした。上記したように平面部１４を設けることで強度を高めることができるが、その場合、平面部１４の幅（Ｗ５）によって強度が変化する。その一方で、パネル部材１の厚み（ｔ）は決まっているため、幅広面取り部分が判るような大きさで面取りを施す場合には、Ｃ面つまりはなす角が４５度の面取りを施すと、平面部１４の幅（Ｗ５）が短くなってしまう。
【００６０】
そこで、表傾斜面１０と表面１ａとのなす角を４５度よりも小さくすることにより、平面部１４の幅（Ｗ５）を過度に小さくすることなく、また、はっきりと視認できる状態の幅広な面取り部を設けることができ、意匠性と強度とを両立させることができる。
【００６１】
また、パネル部材１は、裏傾斜面１１と裏面１ｂとのなす角が４５度となるＣ面で面取りしているので、裏面１ｂ側においても、製造時や輸送時に損傷するおそれを低減することができる。また、ユーザが濡れた手で扉の開閉動作を行う、あるいはユーザが冷蔵庫扉のパネル部材１を洗剤等を用いて拭き掃除をするなどしてパネル部材１の端部から裏面１ｂ側に向かって洗剤や水が回り込みそうになる場合であっても、裏面１ｂのＣ面で面取りを行った空間を通って下方に伝い落ちるため、裏面１ｂに洗剤や水が回り込んでしまうことをある程度防止することができるという効果も期待できる。
【００６２】
この場合、実施形態のように垂直距離（Ｗ６）と垂直距離（Ｗ７）の合計を平面部１４の幅（Ｗ５）よりも短くすることにより、平面部１４の幅（Ｗ５）を概ねパネル部材１の板厚の１／２以上の長さとすることができ、強度が高くなってパネル部材１に衝撃が加わって側面に大きな力が集中した場合であってもパネル部材１が破損する可能性を低減することができる。
【００６３】
パネル部材１は、表面１ａ側から見た正面視における表傾斜面１０の見かけ上の幅（Ｗ３）を、正面視におけるフレーム９の見かけ上の幅（Ｗ８）よりも長くしている。これにより、フレーム９に比べて幅広面取り部が相対的に大きくなり、幅広面取り部そのものがユーザに視認されやすくなり、高級感を演出することができる。
【００６４】
パネル部材１は、表面１ａ側から見た正面視における表傾斜面１０の見かけ上の幅（Ｗ３）を、正面視におけるフレーム９の見かけ上の幅（Ｗ８）の２倍よりも短くしている。これにより、幅広面取り部分が大きくなり過ぎて悪目立ちすることを抑制できる。本実施形態のようにパネル部材１を冷蔵庫２に設けた場合には、見た目が板チョコのようになることを防止でき有意である。
【００６５】
パネル部材１は、表傾斜面１０に、表面１ａと共通つまりは同等の磨き処理を施している。これにより、表面１ａと表傾斜面１０とで共通感を出すことができ、意匠性が低下してしまうことを抑制できる。また、表傾斜面１０に汚れが付着した場合でも、容易に清掃することができ、清掃性を向上させることができる。本実施形態のようにパネル部材１を冷蔵庫２に設けた場合には、濡れた手で触れることも考えられるため有意である。
【００６６】
パネル部材１は、４辺を有する四角形状に形成され、４辺のそれぞれに面取りが施されている。これにより、製造時および使用時の安全性を高めることができる。
パネル部材１は、４辺のそれぞれに共通の面取りが施されている。これにより、本実施形態のように冷蔵庫２の扉に設け、パネル部材１の全面を同時に視認可能な状態において、統一感を出すことができる。
【００６７】
パネル部材１は、コーナー部１ｃに直線状の面取りが施されている。これにより、角部を無くすことで安全性を高めることができる。また、隣り合う辺の傾斜面の幅が若干異なっていても目立たなくなり、生産性を高めることができる。これは、コーナー部１ｃに曲線状の面取りを施した場合も同様である。
【００６８】
パネル部材１は、強化ガラスにより形成されている。これにより、パネル部材１の強度を向上させることができる。また、強化ガラスの場合には表層部と内部とで光の屈折状態が変わるため、光が通過する経路に多様性を持たせることができ、上記した虹色の煌めきの発生を促すことができる。
【００６９】
パネル部材１は、裏面に例えば着色層や保護層あるいは金属蒸着層等を設けた鏡面加工が施されている。これにより、冷蔵庫２を正面から見た際の意匠性を高めることができる。また、上記したように、虹色の煌めきは内部反射に依存しているため、鏡面加工を施すことにより効率よく内部反射するようになり、虹色の煌めきの発生を促すことができる。
【００７０】
また、パネル部材１は、冷蔵庫２の扉に適用することができる。このとき、パネル部材１を、４辺を有する四角形状に形成し、４辺のそれぞれに面取りを施すことにより、冷蔵庫２の意匠性を高めることができる。
このとき、少なくとも１つの辺に幅広面取り加工を施すことにより、意匠性をさらに向上させることができる。また、４つの辺に共通の面取り加工を施すことにより、デザインの統一感を出すことができる。
【００７１】
また、本実施形態のように左扉３ａの幅と製氷室扉５ａとの幅は等しく、また、右扉３ｂの幅と上部冷凍室扉６ａとの幅が等しくなっている場合には、例えば左扉３ａと製氷室扉５ａの右端側や製氷室扉５ａと上部冷凍室扉６ａの上端側等、縦方向または横方向において同一直線上に配置される。このとき、そのため、パネル部材１の端部に面取りを施すことにより、より具体的には、同一直線上に配置される部位には共通の面取りを施すことにより、意匠性を向上させることができる。
また左扉３ａと右扉３ｂのように扉が隣接している側の対向する辺である、例えば左扉３ａの右側辺、右扉３ｂの左側辺に対して共通の面取りをしてもよい。それによりさらに意匠性を向上させることができる。
【００７２】
ところで、冷蔵室３と製氷室５および上部冷凍室６との間に野菜室４を設けない場合には、例えば左扉３ａと製氷室扉５ａとが近距離で隣り合ってしまう。この場合、例えば幅広面取り部の加工寸法に若干の差があると、扉が隣り合うことから、その差が目立ち、意匠性が低下するおそれがある。
そこで、本実施形態のように冷蔵室３と製氷室５および上部冷凍室６との間に野菜室４を設けることにより、例えば左扉３ａと製氷室扉５ａとが近距離で隣り合うことがなくなり、例えば幅広面取り部の加工寸法に若干の差があってもそれが目立たなくなり、意匠性が低下するおそれを低減することができる。
【００７３】
すなわち、左右方向に複数の扉が隣り合って設けられる部位が上下方向に設けられている冷蔵庫２において、上下の複数の部位の間に単体の扉を設けて、上下の部位のそれぞれにおいて複数の扉が隣り合う隣接線を繋ぐ領域に、隣接線を設けないことにより、意匠性が低下するおそれを低減することができる。なお、隣接線は、平易に言えば、左右に並んだ扉の隙間の位置を示す線である。
なお、製氷室５および上部冷凍室６は一例であり、縦方向において各扉の端部が概ね同一直線上に位置するものに適用することができる。勿論、横方向において各扉の端部が概ね同一直線上に位置するものに適用することもできる。
【００７４】
さて、パネル部材１は、４辺に共通の面取り加工を施してもよいが、冷蔵庫２の扉に適用する場合には、扉の動作態様に併せて、面取り加工の態様を変更することができる。すなわち、少なくとも１つの辺に幅広面取り加工を施すことができる。
【００７５】
例えば回動式の左扉３ａや右扉３ｂの場合、回動中心となるヒンジとは反対側となる回動先端側の端部に、幅広面取り加工を施すことができる。上記したように、虹色の煌めきは、外部の照明装置との位置関係によって生成されると予想される。そのため、照明装置との位置関係が大きく変化することになる回動先端側の端部に幅広面取り加工を施すことにより、虹色の煌めきの発生を促すことができる。
【００７６】
あるいは、例えば引き出し式の野菜室扉４ａや上部冷凍室扉５ａあるいは下部冷凍室扉７ａにおいては、扉の上端側となる端部に幅広面取り加工を施すことができる。冷蔵庫２の場合、一般的には、ユーザの視点は、引き出し式の扉よりも上方に位置していると考えられる。また、引き出し式の扉の場合も、引き出し時には外部の照明装置との位置関係が変化すると考えられる。
そのため、引き出し式の扉の場合には、開閉時にユーザが視認している可能性の高い上端側の端部に幅広面取り加工を施すことにより、虹色の煌めきの発生を促すことができる。なた、野菜室扉４に限らず、製氷室扉５ａや上部冷凍室扉６ａ、下部冷凍室扉７ａについても、同様の理由により、手掛け部の側の端部に幅広面取り加工を施すことができる。
【００７７】
また、冷蔵庫２の扉にパネル部材１を適用する場合には、例えば野菜室扉４ａであれば、手掛け部分４ｂの下方の端部、つまりは、野菜室扉４ａであれば上端側となるパネル部材１の端部に、幅広面取り加工を施すことができる。つまり、ユーザが目にし易く、且つ、虹色の煌めきが発生しやすい部位に幅広面取り加工を施すことができる。これにより、虹色の煌めきがユーザに視認され易くすることができ、意匠性を向上させることができる。
【００７８】
また、上記した回動式扉の回動先端側や引き出し式扉の上端側あるいは手掛け部４ｂ側に幅広面取り加工を施す際には、幅広面取り加工を施す部位以外には、幅広面取り加工を施さないこともできる。幅広面取り加工は、要求される寸法精度が高いことや表面処理が施されること等の理由により、製造コストが増加する一因となる。そのため、回動先端側や引き出し式扉の上端側あるいは手掛け部側以外には幅広面取り加工を施さないことにより、意匠性を向上させつつも、製造コストが過度に上昇することを抑制できる。
【００７９】
このように、表面１ａ側および裏面１ｂ側の双方の端部に面取りが施されたパネル部材１を扉の前板に用いた冷蔵庫２は、その意匠性を向上させることができる。このとき、冷蔵庫２の扉やその扉に設けるパネル部材１は、表面１ａ側の面取り部分の見かけ上の幅（Ｗ３）を裏面側の面取り部分の見かけ上の幅（Ｗ４）よりも大きくする等、上記した実施形態および後述するその他の実施形態に示す各種の拡張や変形を行うことができる。
また、さらに幅広面となる幅の面を設けてもよい。また、幅広面の幅は同じで、傾斜角度つまりは表面１ａとのなす角を異ならせることで、表傾斜面１０の見かけ上の幅が異なる面を設けてもよい。
【００８０】
（その他の実施形態）
実施形態では、パネル部材１の側面に平面部１４を設ける例を示したが、他の構造とすることができる。
例えば図９に示すように、側面を曲面状あるいは円弧状に形成することもできる。すなわち、パネル部材１の側面にラウンド処理を施すこともできる。パネル部材１に鏡面加工を施す場合、意匠性を高めることができるものの、細かい傷なども目立ちやすくなる。また、幅広面取り加工は、切削時に細かい傷が入り易い加工である。
【００８１】
そのため、ラウンド処理を施すことにより、一般的なＣ面のように面取り部に平面を形成する面取りに比べて、保管時や移動時を含め、各製造工程での傷や欠けの発生がしにくくなり、歩留まりつまりは扉面材としての製造性を向上させることができる。
また、ラウンド処理を施した場合であっても、例えば表面１ａ側に上記した表傾斜面１０のように板厚が変化する領域を形成する幅広面取り加工を施すこともできる。これにより、上記した製造性の向上等に加えて、意匠性を高めることができる。
【００８２】
この場合、図９において、板厚が変化する範囲である表傾斜面Ｒ１０において直線部Ｒ１０−１と側面側のラウンド面Ｒ１０−２との境界、つまりは、断面視において直線状の斜面と曲面との交点（Ｐ１）は、裏面１ｂ側の面取り部つまりは板厚が変化している裏傾斜面Ｒ１１の見かけ上の幅（ＷＲ４）よりも図示下方側（端部に近い側）になる。その結果、幅広面取り部の幅は、表稜線１２ａから点Ｒ１２までの距離となる。ここで、点Ｒ１２は、直線部Ｒ１０−１を延長した仮想線Ｒ１０Ｋがパネル部材１の最端部から短手方向（前後方向）に伸びる仮想線Ｒ１４Ｋに達する点である。これにより、表傾斜面Ｒ１０の幅（ＷＲ１）が相対的に長くなり、幅広の面取り部が認識しやすくなって意匠性を一層高めることができる。
【００８３】
この場合、表面面取り部分の見かけ上の幅（ＷＲ３）は、直線部Ｒ１０−１の投影距離（ＷＲ３−１）と、ラウンド面であるラウンド面Ｒ１０−２の投影距離（ＷＲ３−２）とを合わせた値となる。つまり、図９の場合、直線部Ｒ１０−１とラウンド面Ｒ１０−２とを含んだ範囲が、板厚が変化している範囲であり、表面１ａ側における面取り部分の傾斜面となる。そして、これら傾斜面Ｒ１０−１とラウンド面Ｒ１０−２の大きさによって、見かけ上の幅（ＷＲ３）が決定される。
【００８４】
このとき、ラウンド面Ｒ１０−２の曲率は、投影距離（ＷＲ３−１）と同じ寸法からその３倍の寸法の範囲内であることが好ましく、投影距離（ＷＲ３−２）は、その曲率によって形成される大きさであって、投影距離（ＷＲ３−１）の１／２０から１／４の範囲内にすることが好ましい。これにより、意匠性の向上と強度の確保とを両立することができる。
【００８５】
このとき、ラウンド面Ｒ１０−２を小さくし、傾斜面Ｒ１０−１を相対的に視認しやすくすることにより、平面状の傾斜面Ｒ１０−１のみを、意匠性を高めるための傾斜面として利用することができる。
あるいは、側面を全体的に曲面で形成してもよいし、一部に上記した平面部１４を設けることもできる。
【００８６】
また図９において実施形態の平面部１４に相当する部分については、裏面１ｂ側の曲面部（以下、裏傾斜面Ｒ１１と称する）に実施形態で示した傾斜面１１と同じ４５度の角度で接する接線Ｒ１１Ｋ（仮想線）が仮想線Ｒ１４Ｋに到達する点Ｒ１３と上記した点Ｒ１２との間に位置する部分が、平面部１４に相当する曲面部Ｒ１４となる。この部位は、側面端部の割れを防止するための強度を確保するために設けられており、側面強度確保部分となる。
【００８７】
また表傾斜面Ｒ１０の見かけ上の幅ＷＲ３をＷＲ４より大きくすることで強度保全、また意匠性が優れる形状にできるが、板厚が変化する範囲のうちラウンド面Ｒ１０−２を除く直線部Ｒ１０−１の見かけ上の幅であるＷＲ３−１の幅を、裏面１ｂ側の面取り部つまりは裏傾斜面Ｒ１１の見かけ上の幅であるＷＲ４より長くしても良い。これによりさらに意匠性が向上する。
【００８８】
また幅広面取り加工としては、表傾斜面Ｒ１０の幅ＷＲ１を表傾斜面１０の奥行き（ＷＲ６）よりも大きくすることで視認性を高めており、さらには板厚が変化する範囲のうち直線部Ｒ１０−１の幅（ＷＲ１−１）を、その奥行き（ＷＲ６−１）あるいは表傾斜面Ｒ１０全体の奥行き（ＷＲ６）より大きくすることにさらに美観を伴わせることができる。
【００８９】
また、以下に説明するように、また、パネル部材１の形状は、フレーム９を含めて所定の位置関係を満たすことで、強度を確保することが可能となる。
具体的には、図１０は、左扉３ａおよび右扉３ｂの断面視を模式的に示しており、各扉には、それぞれパネル部材１が設けられている。以下、図示上方つまりはパネル部材１側を前とし、図示下方つまりはフレーム９側を後ろとし、図示左右方向をそのまま左右として説明する。
【００９０】
まず、図１０の図示上下方向つまりは断面視における前後方向において、パネル部材１の表面１ａつまりは表稜線１２ａを通る位置をＬ１、前稜線１２を通る位置をＬ２、フレーム９の前端を通る位置をＬ３、後稜線１３を通る位置をＬ４、裏面１ｂつまりは裏稜線１３ａを通る位置をＬ５、プレーム９の取付部９ａの前面の位置をＬ６、取付部９ａの後面の位置をＬ７とする。
【００９１】
また、各扉において表傾斜面１０に沿った仮想線をＳ２、裏傾斜面１１に沿った仮想線をＳ３とし、Ｓ３同士の交点をＨ、Ｓ２同士の交点をＩ、Ｓ２とＳ３との交点をＪとする。ここで、取付部９ａは、接着テープ２０等の接着部材あるいは固定部材によってパネル部材１をフレーム９に取り付けるために設けられている部位であり、パネル部材１と平行に、フレーム９の左右両端を接続する形状に形成されている。
【００９２】
図１０の場合、Ｈ、Ｉの前後方向における位置関係は、以下の関係式の通りになっている。
Ｈ＞Ｌ１＞Ｌ２＞Ｌ３＞Ｌ４≧Ｉ＞Ｌ５＞Ｌ６＞Ｌ７
ここで、例えばＨ＞Ｌ１は、ＨがＬ１よりも前方に位置していることを意味している。
【００９３】
この場合、Ｈ＞Ｌ１＞Ｌ２＞Ｌ３＞Ｌ４の位置関係とすることにより、パネル部材１の側面に平面部１４を設けることが可能となる。このとき、Ｈについては、Ｌ４よりも前、つまり、Ｈ＞Ｌ４を満たしていれば、Ｌ１〜Ｌ３よりも後方であってもよい。換言すると、平面部１４が設けられていればよい。
ただし、平面部１４の幅が小さいと強度が相対的に低下することから、強度を向上させるためには、平面部１４にある程度の幅を持たせること、つまりは、上記のようにＨ＞Ｌ１の位置関係とすることが望ましい。
【００９４】
また、Ｌ１＞Ｌ２＞Ｌ３とすることにより、表面１ａと表傾斜面１０とのなす角（以下、表傾斜面１０の傾斜角と称する）が鈍角になる。これにより、表稜線１２ａがなだらかな状態となることで、つまりは、表稜線１２ａの角部が突出した形状にはならないことで、パネル部材１の割れや破損を抑制することができる。
【００９５】
また、図１０の場合、Ｉ、Ｊの前後方向における位置関係は、以下の関係式の通りになっている。
Ｌ１＞Ｌ２＞Ｌ３＞Ｊ＞Ｉ≧Ｌ４＞Ｌ５＞Ｌ６＞Ｌ７
この場合、Ｊ＞Ｉであることから、裏面１ｂと裏傾斜面１１とのなす角（以下、裏傾斜面１１の傾斜角と称する）と表傾斜面１０の傾斜角とが異なっており、且つ、裏傾斜面１１の傾斜角のほうが表傾斜面１０の傾斜角よりもきつくなっている。なお、ＨとＩ、Ｊとの関係は、本実施形態ではＨ＞Ｊ＞Ｉとなっている。
【００９６】
このような形状であっても、表傾斜面１０の傾斜角が鈍角になり、パネル部材１の割れや損傷を抑制することができる。
また、裏傾斜面１１の傾斜角がきついということは、裏傾斜面１１の投影距離（Ｗ４。図３参照）が小さくなるため、図８に示したように、入射光が表傾斜面１０の内面に向かって反射する範囲が広くなり、虹色の煌めきを発生し易くなる。
【００９７】
さて、パネル部材１の形状は、上記した前後方向だけで無く、左右方向についても所定の位置関係を満たすことで強度の確保が可能となる。
図１０の図示左右方向つまりは右扉３ｂの断面視における左右方向において、隣り合う扉の中点をＴ０、フレーム９の他方の扉側の端部をＴ１、フレーム９においてパネル部材１の側面と対向する面の位置をＴ２、パネル部材１の側面（この場合平面部１４）の位置をＴ３、取付部９の根元位置をＴ４、裏稜線１３ａの位置をＴ５、取付部９ａの前面に設けられて接着テープ２０の端部となる段差部の位置をＴ６、表稜線１２ａの位置をＴ７とする。なお、左扉３ａの場合も、扉間の中央位置に線対称となった態様で、Ｔ０〜Ｔ７に対応する位置が存在する。
【００９８】
例えば、Ｊについて、上記したように
Ｌ１＞Ｌ２＞Ｌ３＞Ｊ＞Ｉ≧Ｌ４
となる前後方向の位置関係と、
Ｔ２＜Ｊ＜Ｔ１
となる左右方向の位置関係の双方を満たす範囲にすることができる。ここで、Ｔ２＜Ｊとは、右扉３ｂの場合には、Ｔ２よりも左扉３ａ側にＪが位置していることを示している。また、右扉３ｂの場合であれば、Ｔ２＜Ｊとは、Ｔ２よりも左扉３ａ側にＪが位置していることを意味している。
【００９９】
この場合、Ｊは、フレーム９の内部に位置することになる。このような形状にすることにより、表稜線１２ａが尖りすぎることを抑制できパネル部材１の割れや損傷を抑制することができるとともに、平面部１４の幅が小さくなることを抑制でき、強度が不足するおそれを低減することができる。
【０１００】
また、図１１に拡大して示すように、Ｓ２と取付部９ａの後面（Ｌ７）との交点をＬ、Ｓ３と取付部９ａの後面（Ｌ７）との交点をＬ、Ｓ３と他方の扉のＳ２との交点をＭとする。
この場合、各交点は、左右方向において以下の位置関係となっている。
Ｔ７≦Ｋ、Ｌ≦Ｍ＜Ｔ６＜Ｔ５＜Ｔ３＜Ｔ２＜Ｔ１
【０１０１】
また、各交点は、前後方向において以下の位置関係となっている。
Ｌ４＞Ｌ５＞Ｌ６＞Ｍ＞Ｌ７
このような位置関係を満たす形状であっても、パネル部材１の割れや損傷を抑制することができるとともに、強度が不足するおそれを低減することができる。
【０１０２】
また、表傾斜面１０は、上記したように意匠性を向上させることを目的として設けられているため、隣り合う扉との間のバランスも重要となる。
ここで、パネル部材１の端部から扉の中点までの幅をＷＴＯ３とすると、表傾斜面１０の幅（Ｗ１）、表傾斜面１０の見かけ上の幅（Ｗ３）は、以下の大小関係となっている。
（ＷＴＯ３）／２≦Ｗ３＜Ｗ１＜ＷＴＯ３
これにより、特にパネル部材１の厚みが薄くなった場合でも強度を確保することができる。
【０１０３】
このような大小関係とすることにより、扉が隣り合っている状態において、各扉の表傾斜面１０の位置が近すぎることがなく、また、離れすぎることもなくなるため、全体のバランス、すなわち、扉を隣り合わせて配置した際のバランスを取ることができる。したがって、質感が向上し、意匠性も向上させることができる。この場合、左右方向に隣り合う扉間以外に、上下方向に隣り合う扉間においても、上記の関係を満たすようにすることで、強度の確保と意匠性の向上とを両立させることができる。
【０１０４】
正面視においてフレーム９の先端側となる部位を、扉と同色あるいは同系統の色に塗装することもできる。これにより、フレーム９が目立たなくなり、意匠性を高めることができる。
フレーム９の先端側を、表傾斜面１０と平行な平面に形成することもできる。これにより、パネル部材１とフレーム９とが一体的に見えるようになり、意匠性を高めることができる。
【０１０５】
実施形態では表傾斜面１０に表面１ａと共通する磨き処理を施す例を示したが、表面１ａとは異なる磨き処理を施すこともできる。これにより、パネル部材１を１枚使うような用途において、表面１ａが比較的平坦になりがちなパネル部材１にアクセントを付けることができ、意匠性が向上する。
【０１０６】
実施形態では、フレーム９の先端が平面部１４の範囲内に位置する例を示したが、フレーム９の先端を、後稜線１３よりも後方であって裏面１ｂよりも前方の範囲内に位置するように設計することもできる。これにより、パネル部材１の側面を含む端部が視認可能となり、正面視においてフレームレスのように見えることにより、意匠性を高めることができる。
【０１０７】
実施形態では表傾斜面１０の厚み幅（Ｗ６）が、Ｗ６＋Ｗ７≦Ｗ５の関係を満たすパネル部材１を例示したが、Ｗ６≧Ｗ５としてもよい。これは、パネル部材１のそもそもの厚み（ｔ）が大きい場合には、側面側の幅（Ｗ３）が厚み（ｔ）の１／２以上でなくても十分に強度を確保することができるためである。また、同様の理由により、そもそもの厚み（ｔ）が大きい場合には、Ｗ６、Ｗ７≧Ｗ５の関係とすることもできる。
【０１０８】
実施形態では表傾斜面１０に表面１ａと共通する質感を与える表面処理を施す例を示したが、敢えて表面１ａと異なる質感を与える表面処理を施すとこができる。これにより、冷蔵庫２の扉のように、比較的面積が大きく、且つその表面が均質なものにパネル部材１を設ける場合において、表傾斜面１０がデザイン上のアクセントとなり、意匠性を高めることができる。
なお、上記した図９に示したラウンド処理を施した面についても同様であり、実施形態のように表面１ａと共通する質感を与える表面処理を施すことができるし、表面１ａとは異なる質感を与える表面処理を施すことができる。
【０１０９】
実施形態では冷蔵室３を観音開きの左扉３ａおよび右扉３ｂで開閉する冷蔵庫２の例を示したが、冷蔵室３を１枚の扉で開閉する冷蔵庫にもパネル部材１を適用することができる。また、実施形態で示した冷蔵庫２の構成は一例であり、貯蔵室の位置や数が異なるものにもパネル部材１を適用することができる。
【０１１０】
また、表面１ａ側および裏面１ｂ側の双方の端部に面取りが施され、面取り部分の見かけ上の幅（Ｗ３、Ｗ４）が板厚（ｔ）よりも短いとともに、表面１ａ側の面取り部分の見かけ上の幅（Ｗ３）が裏面側の面取り部分の見かけ上の幅（Ｗ４）よりも大きいパネル部材１を扉に備える冷蔵庫は、その意匠性を向上させることができる。このとき、パネル部材１は、上記に例示した各種の拡張や変形を行うことができる。
【０１１１】
各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【０１１２】
図面中、１はパネル部材、１ａは表面、１ｂは裏面、１ｃはコーナー部、２は冷蔵庫、３ａは左扉（扉）、３ｂは右扉（扉）、４ａは野菜室扉（扉）、５ａは製氷室扉（扉）、６ａは上部冷凍室扉（扉）、７ａは下部冷凍室扉（扉）、９はフレーム、１０、Ｒ１０は表傾斜面（表面側の傾斜面、表面側の面取り部分）、１１、Ｒ１１は裏傾斜面（裏面側の面取り部分）、１２は前稜線（稜線）、１４は平面部を示す。
【図１】
2018044754.tif 000003
【図２】
2018044754.tif 000004
【図３】
2018044754.tif 000005
【図４】
2018044754.tif 000006
【図５】
2018044754.tif 000007
【図６】
2018044754.tif 000008
【図７】
2018044754.tif 000009
【図８】
2018044754.tif 000010
【図９】
2018044754.tif 000011
【図１０】
2018044754.tif 000012
【図１１】
2018044754.tif 000013